(57)【要約】【課題】主データの再生動作を主データ提供側で規制可能とする。【解決手段】編集装置３０は、画像および／または音声の素材データを取り込み、素材データの編集処理を行い主データを生成する。主データの再生動作を規制する指示がなされたとき、コンテンツ提示が所望の品質となるように再生動作を規制する制限情報を含んだ付属情報を生成する。この付属情報を編集後の主データに連結させて出力用のコンテンツデータＤＣとする。コンテンツ送出装置５０は、データＤＣに基づき送出データを生成して出力する。コンテンツ再生装置７０は、データＤＣの取り込みを行い、再生動作の指示に応じて主データの再生を行う。主データに再生動作を規制する制限情報を含む付属情報が連結されているときには、制限情報に基づいた再生動作を行い、再生速度や表示サイズ等を制御して、所望の品質で画像や音声の提示をコンテンツ提示装置８０によって行う。【選択図】        図１
2004180288.tif 000002
【特許請求の範囲】
【請求項１】
画像または音声の少なくとも一方を含む主データに、該主データの再生時における再生動作を制限する制限情報を示す付属情報を連結する連結手段と、
前記付属情報が連結された主データを出力する出力手段とを有することを特徴とするデータ処理装置。
【請求項２】
前記付属情報は、前記主データのフレームレートを示すフレームレート情報を含む
ことを特徴とする請求項１記載のデータ処理装置。
【請求項３】
前記制限情報は、前記主データの再生速度を制限する情報である
ことを特徴とする請求項１記載のデータ処理装置。
【請求項４】
前記制限情報は、前記主データの再生時における画像の表示サイズを制限する情報である
ことを特徴とする請求項１記載のデータ処理装置。
【請求項５】
前記制限情報は、前記主データの再生時における主データの品質を維持するための情報である
ことを特徴とする請求項１記載のデータ処理装置。
【請求項６】
前記出力手段は、前記付属情報が連結された主データを、伝送路を介して出力する
ことを特徴とする請求項１記載のデータ処理装置。
【請求項７】
前記出力手段は、前記付属情報が連結された主データを記録媒体に記録する
ことを特徴とする請求項１記載のデータ処理装置。
【請求項８】
前記主データのフレームレートを調整する調整手段をさらに備える
ことを特徴とする請求項１記載のデータ処理装置。
【請求項９】
前記出力手段は、前記付属情報が連結された主データを、伝送路を介して出力する
前記調整手段は、前記主データを一時的に蓄積媒体に蓄積し、前記制限情報を参照して、前記伝送路の帯域に応じて前記蓄積媒体からの前記主データの読み出しを制御することにより、前記出力手段から出力される主データのフレームレートを調整する
ことを特徴とする請求項８記載のデータ処理装置。
【請求項１０】
画像または音声の少なくとも一方を含む主データに、主データの再生時における再生動作を制限する制限情報を示す付属情報を連結するステップと、
前記付属情報が連結された主データを出力するステップとを有する
ことを特徴とするデータ処理方法。
【請求項１１】
前記付属情報は、前記主データのフレームレートを示すフレームレート情報を含む
ことを特徴とする請求項１０記載のデータ処理方法。
【請求項１２】
前記制限情報は、前記主データの再生速度を制限する情報である
ことを特徴とする請求項１０記載のデータ処理方法。
【請求項１３】
前記制限情報は、前記主データの再生時における画像の表示サイズを制限する情報である
ことを特徴とする請求項１０記載のデータ処理方法。
【請求項１４】
前記制限情報は、前記主データの再生時における主データの品質を維持するための情報である
ことを特徴とする請求項１０記載のデータ処理方法。
【請求項１５】
前記主データを出力するステップでは、前記付属情報が連結された主データが、伝送路を介して出力される
ことを特徴とする請求項１０記載のデータ処理方法。
【請求項１６】
前記主データを出力するステップでは、前記付属情報が連結された主データが記録媒体に記録される
ことを特徴とする請求項１０記載のデータ処理方法。
【請求項１７】
前記主データのフレームレートを調整するステップをさらに備える
ことを特徴とする請求項１０記載のデータ処理方法。
【請求項１８】
前記主データを出力するステップでは、前記付属情報が連結された主データが、伝送路を介して出力されて、
前記調整するステップでは、前記主データが一時的に蓄積媒体に蓄積され、前記制限情報を参照して、前記伝送路の帯域に応じて前記蓄積媒体からの前記主データの読み出しが制御されることにより、前記主データを出力するステップで出力される前記主データのフレームレートが調整される
ことを特徴とする請求項１７記載のデータ処理方法。
【請求項１９】
画像または音声の少なくとも一方を含む主データに、主データの再生時における再生動作を制限する制限情報を示す付属情報を連結するステップと、
前記付属情報が連結された主データを出力するステップをコンピュータで実行させる
ことを特徴とするプログラム。
【請求項２０】
指示情報が、画像または音声の少なくとも一方を含む主データの再生動作を制限する制限情報を示すか否かを識別する識別手段と、
前記識別手段で、前記指示情報が前記制限情報を示すと識別された際に、前記制限情報を示す付属情報を、前記主データに連結する連結手段とを有する
ことを特徴とするデータ処理装置。
【請求項２１】
前記付属情報は、前記主データのフレームレートを示すフレームレート情報を含む
ことを特徴とする請求項２０記載のデータ処理装置。
【請求項２２】
前記制限情報は、前記主データの再生速度を制限する情報である
ことを特徴とする請求項２０記載のデータ処理装置。
【請求項２３】
前記制限情報は、前記主データの再生時における画像の表示サイズを制限する情報である
ことを特徴とする請求項２０記載のデータ処理装置。
【請求項２４】
前記制限情報は、前記主データの再生時における主データの品質を維持するための情報である
ことを特徴とする請求項２０記載のデータ処理装置。
【請求項２５】
指示情報が、画像または音声の少なくとも一方を含む主データの再生動作を制限する制限情報を示すか否かを識別するステップと、
前記識別するステップで、前記指示情報が前記制限情報を示すと識別された際に、前記制限情報を示す付属情報を、前記主データに連結するステップとを有する
ことを特徴とするデータ処理方法。
【請求項２６】
前記付属情報は、前記主データのフレームレートを示すフレームレート情報を含む
ことを特徴とする請求項２５記載のデータ処理方法。
【請求項２７】
前記制限情報は、前記主データの再生速度を制限する情報である
ことを特徴とする請求項２５記載のデータ処理方法。
【請求項２８】
前記制限情報は、前記主データの再生時における画像の表示サイズを制限する情報である
ことを特徴とする請求項２５記載のデータ処理方法。
【請求項２９】
前記制限情報は、前記主データの再生時における主データの品質を維持するための情報である
ことを特徴とする請求項２５記載のデータ処理方法。
【請求項３０】
指示情報が、画像または音声の少なくとも一方を含む主データの再生動作を制限する制限情報を示すか否かを識別するステップと、
前記識別するステップで、前記指示情報が前記制限情報を示すと識別された際に、前記制限情報を示す付属情報を、前記主データに連結するステップとを有するデータ処理方法をコンピュータに行わせる
ことを特徴とするプログラム。
【請求項３１】
画像または音声の少なくとも一方を含む主データに対する指示情報が、前記主データの再生動作を制限する制限情報を示すか否かを識別する識別手段と、
前記識別手段で、前記指示情報が前記制限情報を示すと識別された際に、前記主データに対する付属情報を修正する修正手段とを有する
ことを特徴とするデータ処理装置。
【請求項３２】
前記付属情報は、前記主データのフレームレートを示すフレームレート情報を含む
ことを特徴とする請求項３１記載のデータ処理装置。
【請求項３３】
前記制限情報は、前記主データの再生速度を制限する情報である
ことを特徴とする請求項３１記載のデータ処理装置。
【請求項３４】
前記制限情報は、前記主データの再生時における画像の表示サイズを制限する情報である
ことを特徴とする請求項３１記載のデータ処理装置。
【請求項３５】
前記制限情報は、前記主データの再生時における主データの品質を維持するための情報である
ことを特徴とする請求項３１記載のデータ処理装置。
【請求項３６】
前記指示情報はユーザによって与えられた情報である
ことを特徴とする請求項３１記載のデータ処理装置。
【請求項３７】
画像または音声の少なくとも一方を含む主データに対する指示情報が、前記主データの再生動作を制限する制限情報を示すか否かを識別するステップと、
前記識別するステップで、前記指示情報が前記制限情報を示すと識別された際に、前記主データに対する付属情報を修正するステップとを有する
ことを特徴とするデータ処理方法。
【請求項３８】
前記付属情報は、前記主データのフレームレートを示すフレームレート情報を含む
ことを特徴とする請求項３７記載のデータ処理方法。
【請求項３９】
前記制限情報は、前記主データの再生速度を制限する情報である
ことを特徴とする請求項３７記載のデータ処理方法。
【請求項４０】
前記制限情報は、前記主データの再生時における画像の表示サイズを制限する情報である
ことを特徴とする請求項３７記載のデータ処理方法。
【請求項４１】
前記制限情報は、前記主データの再生時における主データの品質を維持するための情報である
ことを特徴とする請求項３７記載のデータ処理方法。
【請求項４２】
前記指示情報はユーザによって与えられた情報である
ことを特徴とする請求項３７記載のデータ処理方法。
【請求項４３】
画像または音声の少なくとも一方を含む主データに対する指示情報が、前記主データの再生動作を制限する制限情報を示すか否かを識別するステップと、
前記識別するステップで、前記指示情報が前記制限情報を示すと識別された際に、前記主データに対する付属情報を修正するステップとを有するデータ処理方法をコンピュータに行わせる
ことを特徴とするプログラム。
【請求項４４】
画像または音声の少なくとも一方を含む主データを編集する編集手段と、
前記編集手段で編集された主データに、主データの再生時における再生動作を制限する制限情報を示す付属情報を連結する連結手段とを有するデータ処理装置。
【請求項４５】
前記付属情報は、前記主データのフレームレートを示すフレームレート情報を含む
ことを特徴とする請求項４４記載のデータ処理装置。
【請求項４６】
前記制限情報は、前記主データの再生速度を制限する情報である
ことを特徴とする請求項４４記載のデータ処理装置。
【請求項４７】
前記制限情報は、前記主データの再生時における画像の表示サイズを制限する情報である
ことを特徴とする請求項４４記載のデータ処理装置。
【請求項４８】
前記制限情報は、前記主データの再生時における主データの品質を維持するための情報である
ことを特徴とする請求項４４記載のデータ処理装置。
【請求項４９】
画像または音声の少なくとも一方を含む主データを編集するステップと、
前記編集するステップで編集された主データに、主データの再生時における再生動作を制限する制限情報を示す付属情報を連結するステップとを有する
ことを特徴とするデータ処理方法。
【請求項５０】
前記付属情報は、前記主データのフレームレートを示すフレームレート情報を含む
ことを特徴とする請求項４９記載のデータ処理方法。
【請求項５１】
前記制限情報は、前記主データの再生速度を制限する情報である
ことを特徴とする請求項４９記載のデータ処理方法。
【請求項５２】
前記制限情報は、前記主データの再生時における画像の表示サイズを制限する情報である
ことを特徴とする請求項４９記載のデータ処理方法。
【請求項５３】
前記制限情報は、前記主データの再生時における主データの品質を維持するための情報である
ことを特徴とする請求項４９記載のデータ処理方法。
【請求項５４】
画像または音声の少なくとも一方を含む主データを編集するステップと、
前記編集するステップで編集された主データに、主データの再生時における再生動作を制限する制限情報を示す付属情報を連結するステップとを有するデータ処理方法をコンピュータに行わせる
ことを特徴とするプログラム。
【請求項５５】
画像または音声の少なくとも一方を含む主データに、再生動作を制限する制限情報を示す付属情報が連結されているか否かを識別する識別手段と、
前記識別手段で前記主データに前記制限情報が連結されていると識別された際に、前記制限情報に基づいて前記主データを再生する再生手段とを備える
ことを特徴とするデータ処理装置。
【請求項５６】
前記付属情報は、前記主データのフレームレートを示すフレームレート情報を含み、
前記再生手段は、前記フレームレート情報に基づいて前記主データを再生する
ことを特徴とする請求項５５記載のデータ処理装置。
【請求項５７】
前記制限情報は、前記主データの再生速度を制限する情報を含み、
前記再生手段は、前記制限情報に基づく再生速度で前記主データを再生する
ことを特徴とする請求項５５記載のデータ処理装置。
【請求項５８】
前記制限情報は、前記主データの再生時における画像の表示サイズを制限する情報であり、
前記再生手段は、前期制限情報に基づく表示サイズで前記主データを再生する
ことを特徴とする請求項５５記載のデータ処理装置。
【請求項５９】
前記制限情報は、前記主データの再生時における主データの品質を維持するための情報であり、
前記再生手段は、前記制限情報に基づく品質で前記主データを再生する
ことを特徴とする請求項５５記載のデータ処理装置。
【請求項６０】
前記再生手段は、前記主データに前記制限情報が連結されていないとき、予め設定された条件で前記主データを再生する
ことを特徴とする請求項５５記載のデータ処理装置。
【請求項６１】
前記主データのフレームレートを調整する調整手段をさらに備える
ことを特徴とする請求項５５記載のデータ処理装置。
【請求項６２】
前記制限情報は再生速度を示し、
前記調整手段は、前記画像または音声の再生速度が前記制限情報で示された再生速度となるように前記主データを再生する際のフレーレートを調整する
ことを特徴とする請求項６１記載のデータ処理装置。
【請求項６３】
前記制限情報は再生可能速度範囲を示し、
前記調整手段は、前記画像または音声の再生速度が前記制限情報で示された再生可能速度範囲の再生速度となるように前記主データを再生する際のフレーレートを調整する
ことを特徴とする請求項６１記載のデータ処理装置。
【請求項６４】
前記付属情報は推奨再生速度を示し、
前記調整手段は、前記画像または音声の再生速度が前記付属情報で示された推奨再生速度となるように前記主データを再生する際のフレームレートを調整する
ことを特徴とする請求項６１記載のデータ処理装置。
【請求項６５】
画像または音声の少なくとも一方を含む主データに、再生動作を制限する制限情報を示す付属情報が含まれているか否かを識別するステップと、
前記識別するステップで前記主データに前記制限情報が含まれていると識別された際に、前記制限情報に基づいて前記主データを再生するステップを有する
ことを特徴とするデータ処理方法。
【請求項６６】
前記付属情報は、前記主データのフレームレートを示すフレームレート情報を含み、
前記再生するステップでは、前記フレームレート情報に基づいて前記主データが再生される
ことを特徴とする請求項６５記載のデータ処理方法。
【請求項６７】
前記制限情報は、前記主データの再生速度を制限する情報を含み、
前記再生するステップでは、前記制限情報に基づく再生速度で前記主データが再生される
ことを特徴とする請求項６５記載のデータ処理方法。
【請求項６８】
前記制限情報は、前記主データの再生時における画像の表示サイズを制限する情報であり、
前記再生するステップでは、前期制限情報に基づく表示サイズで前記主データが再生される
ことを特徴とする請求項６５記載のデータ処理方法。
【請求項６９】
前記制限情報は、前記主データの再生時における主データの品質を維持するための情報であり、
前記再生するステップでは、前記制限情報に基づく品質で前記主データが再生される
ことを特徴とする請求項６５記載のデータ処理方法。
【請求項７０】
前記再生するステップでは、前記主データに前記制限情報が連結されていないとき、予め設定された条件で前記主データが再生される
ことを特徴とする請求項６５記載のデータ処理方法。
【請求項７１】
前記主データのフレームレートを調整するステップをさらに備える
ことを特徴とする請求項６５記載のデータ処理方法。
【請求項７２】
前記制限情報は再生速度を示し、
前記調整するステップでは、前記画像または音声の再生速度が前記制限情報で示された再生速度となるように前記主データを再生する際のフレーレートが調整される
ことを特徴とする請求項７１記載のデータ処理方法。
【請求項７３】
前記制限情報は再生可能速度範囲を示し、
前記調整するステップでは、前記画像または音声の再生速度が前記制限情報で示された再生可能速度範囲の再生速度となるように前記主データを再生する際のフレーレートが調整される
ことを特徴とする請求項７１記載のデータ処理方法。
【請求項７４】
前記付属情報は推奨再生速度を示し、
前記調整するステップでは、前記画像または音声の再生速度が前記付属情報で示された推奨再生速度となるように前記主データを再生する際の再生フレームレートが調整される
ことを特徴とする請求項７１記載のデータ処理方法。
【請求項７５】
画像または音声の少なくとも一方を含む主データに、再生動作を制限する制限情報を示す付属情報が含まれているか否かを識別するステップと、
前記識別するステップで前記主データに前記制限情報が含まれていると識別された際に、前記制限情報に基づいて前記主データを再生するステップとを有するデータ処理方法をコンピュータに行わせる
ことを特徴とするプログラム。
【請求項７６】
画像または音声の少なくとも一方を含む主データに、再生動作を制限する制限情報を示す付属情報を連結させたデータが記録された
ことを特徴とするデータ記録媒体。
【請求項７７】
前記付属情報は、前記主データのフレームレートを示すフレームレート情報を含む
ことを特徴とする請求項７６記載のデータ記録媒体。
【請求項７８】
前記制限情報は、前記主データの再生速度を制限する情報である
ことを特徴とする請求項７６記載のデータ記録媒体。
【請求項７９】
前記制限情報は、前記主データの再生時における画像の表示サイズを制限する情報である
ことを特徴とする請求項７６記載のデータ記録媒体。
【請求項８０】
前記制限情報は、前記主データの再生時における主データの品質を維持するための情報である
ことを特徴とする請求項７６記載のデータ記録媒体。
【発明の詳細な説明】
【技術分野】
【０００１】
この発明は、データ処理装置とデータ処理方法とプログラムおよびデータ記録媒体に関する。詳しくは、画像または音声の少なくとも一方を含む主データに、主データの再生時における再生動作を制限する制限情報を示す付属情報を連結し、制限情報が連結された主データを出力することで、主データ提供側によって、主データ再生側における再生動作を制限するものである。
【背景技術】
【０００２】
従来の放送では、ドラマや映画あるいはスポーツ等の番組コンテンツに、宣伝用コンテンツであるコマーシャルを挿入することで、コンテンツをリアルタイムで視聴する視聴者に対して、効率よく宣伝を行うことが出来るようになされている。
【０００３】
一方、コンテンツの記録再生を行う装置例えばビデオテープレコーダは、記録されているコンテンツを再生する際に、挿入されたコマーシャル部分を検出して自動的にスキップする機能が例えば特許文献１で示すように設けられている。この機能を利用することで、視聴者は番組コンテンツを宣伝用コンテンツによって中断されることなく連続して視聴することが可能となる。
【０００４】
【特許文献１】特開２０００−１１５７１２号公報
【発明の開示】
【発明が解決しようとする課題】
【０００５】
ところで、ディジタル技術の進歩や通信網の広帯域化および通信料の低価格化に伴い、ディジタル化されている画像または音声の少なくとも一方を含む主データ、例えばコンテンツの画像または音声の少なくとも一方を含むコンテンツデータをインタラクティブに通信網を介して配信することが実用化されている。
【０００６】
この通信網を介したコンテンツデータの配信では、配信されたコンテンツデータをバッファに一時蓄えてから再生することにより、通信網で生じるゆらぎ（データの到着のばらつき）を吸収してコンテンツの再生を連続して行うことが出来るようになされている。また、データ圧縮技術の進歩や通信網の広帯域化によって、コンテンツを高画質で配信することが可能となってきている。
【０００７】
このようにして配信されたコンテンツを再生する場合、コンテンツデータがバッファに蓄えられていることから、放送のように放送局側から供給された全てのフレーム画像を順次表示するだけでなく、所望のフレームを選択して再生することが可能となる。例えば、視聴を希望しないコンテンツ部分では、フレームの間引きや飛び越しを行うことで早送りやスキップ等の再生動作が可能となる。
【０００８】
しかし、コンテンツの配信時点で早送りやスキップ等の再生動作が可能とされると、コマーシャル等のコンテンツを挿入しても、このコマーシャルを最初から早送りやスキップさせることが可能となり、挿入したコマーシャルによる宣伝効果を何ら得ることができなくなってしまう。
【０００９】
そこで、この発明では、主データの再生動作を主データの提供側で規制可能とするデータ処理装置とデータ処理方法とプログラムおよびデータ記録媒体を提供するものである。
【課題を解決するための手段】
【００１０】
この発明に係るデータ処理装置は、画像または音声の少なくとも一方を含む主データに、該主データの再生時における再生動作を制限する制限情報を示す付属情報を連結する連結手段と、付属情報が連結された主データを出力する出力手段とを有するものである。
【００１１】
また、データ処理装置は、指示情報が、画像または音声の少なくとも一方を含む主データの再生動作を制限する制限情報を示すか否かを識別する識別手段と、識別手段で、指示情報が制限情報を示すと識別された際に、制限情報を示す付属情報を、主データに連結する連結手段とを有するものである。
【００１２】
また、データ処理装置は、画像または音声の少なくとも一方を含む主データに対する指示情報が、主データの再生動作を制限する制限情報を示すか否かを識別する識別手段と、識別手段で、指示情報が制限情報を示すと識別された際に、主データに対する付属情報を修正する修正手段とを有するものである。
【００１３】
また、データ処理装置は、画像または音声の少なくとも一方を含む主データを編集する編集手段と、編集手段で編集された主データに、主データの再生時における再生動作を制限する制限情報を示す付属情報を連結する連結手段とを有するものである。
【００１４】
さらに、データ処理装置は、画像または音声の少なくとも一方を含む主データに、再生動作を制限する制限情報を示す付属情報が連結されているか否かを識別する識別手段と、識別手段で主データに制限情報が連結されていると識別された際に、制限情報に基づいて主データを再生する再生手段とを備えるものである。
【００１５】
この発明に係るデータ処理方法は、画像または音声の少なくとも一方を含む主データに、主データの再生時における再生動作を制限する制限情報を示す付属情報を連結するステップと、付属情報が連結された主データを出力するステップとを有するものである。
【００１６】
また、データ処理方法は、指示情報が、画像または音声の少なくとも一方を含む主データの再生動作を制限する制限情報を示すか否かを識別するステップと、識別するステップで、指示情報が制限情報を示すと識別された際に、制限情報を示す付属情報を、主データに連結するステップとを有するものである。
【００１７】
また、データ処理方法は、画像または音声の少なくとも一方を含む主データに対する指示情報が、主データの再生動作を制限する制限情報を示すか否かを識別するステップと、識別するステップで、指示情報が制限情報を示すと識別された際に、主データに対する付属情報を修正するステップとを有するものである。
【００１８】
また、データ処理方法は、画像または音声の少なくとも一方を含む主データを編集するステップと、編集するステップで編集された主データに、主データの再生時における再生動作を制限する制限情報を示す付属情報を連結するステップとを有するものである。
【００１９】
さらに、データ処理方法は、画像または音声の少なくとも一方を含む主データに、再生動作を制限する制限情報を示す付属情報が含まれているか否かを識別するステップと、識別するステップで主データに制限情報が含まれていると識別された際に、制限情報に基づいて主データを再生するステップとを有するものである。
【００２０】
この発明に係るプログラムは、画像または音声の少なくとも一方を含む主データに、主データの再生時における再生動作を制限する制限情報を示す付属情報を連結するステップと、制限情報が連結された主データを、伝送路を介して出力するステップとを有するデータ処理方法をコンピュータに行わせるものである。
【００２１】
また、プログラムは、指示情報が、画像または音声の少なくとも一方を含む主データの再生動作を制限する制限情報を示すか否かを識別するステップと、識別するステップで、指示情報が制限情報を示すと識別された際に、制限情報を示す付属情報を、主データに連結するステップとを有するデータ処理方法をコンピュータに行わせるものである。
【００２２】
また、プログラムは、画像または音声の少なくとも一方を含む主データに対する指示情報が、主データの再生動作を制限する制限情報を示すか否かを識別するステップと、識別するステップで、指示情報が制限情報を示すと識別された際に、主データに対する付属情報を修正するステップとを有するデータ処理方法をコンピュータに行わせるものである。
【００２３】
また、プログラムは、画像または音声の少なくとも一方を含む主データを編集するステップと、編集するステップで編集された主データに、主データの再生時における再生動作を制限する制限情報を示す付属情報を連結するステップとを有するデータ処理方法をコンピュータに行わせるものである。
【００２４】
さらに、プログラムは、画像または音声の少なくとも一方を含む主データに、再生動作を制限する制限情報を示す付属情報が含まれているか否かを識別するステップと、識別するステップで主データに制限情報が含まれていると識別された際に、制限情報に基づいて主データを再生するステップとを有するデータ処理方法をコンピュータに行わせるものである。
【００２５】
この発明に係るデータ記録媒体は、画像または音声の少なくとも一方を含む主データに、再生動作を制限する制限情報を示す付属情報を連結させたデータが記録されたものである。
【００２６】
この発明においては、画像または音声の少なくとも一方を含む主データ、例えば画像および／または音声の素材データを取り込んで編集処理を行い、画像または音声の少なくとも一方を含む主データを生成する。この主データの再生動作を規制する指示がなされたときには、この指示に基づき主データ再生時の画像や音声が所望の品質となるように再生動作を規制する制限情報を含んだ付属情報が、主データに連結されて出力される。あるいはコンテンツ記録媒体に記録されて流通される。付属情報が連結された主データを再生する装置では、この付属情報が連結された主データの取り込みを行い、再生動作の指示に応じて取り込んだデータの再生を行うものとし、再生する主データに再生動作を規制する制限情報を含む付属情報が連結されているときには、制限情報に基づいた再生動作を行い、再生速度や表示サイズ等を制御して所望の品質で画像や音声の提示が行われる。
【発明の効果】
【００２７】
この発明によれば、画像または音声の少なくとも一方を含む主データに、主データの再生時における再生動作を制限する制限情報を示す付属情報を連結し、制限情報が連結された主データが伝送路を介して出力される。このため、主データ提供側によって、主データ再生側における再生動作を制限できる。
【００２８】
また、指示情報が、画像または音声の少なくとも一方を含む主データの再生動作を制限する制限情報を示すと識別された際に、制限情報を示す付属情報が主データに連結される。このため、主データ再生側における再生動作を制限する部分を主データ提供側で設定できる。
【００２９】
また、画像または音声の少なくとも一方を含む主データに対する指示情報が、主データの再生動作を制限する制限情報を示すと識別された際に、主データに対する付属情報が修正される。このため、主データ再生側における再生動作を制限する部分について、正しい付属情報を連結できる。
【００３０】
また、画像または音声の少なくとも一方を含む主データを編集し、この編集された主データに、主データの再生時における再生動作を制限する制限情報を示す付属情報が連結される。このため、編集後の画像内容や音声内容に応じて再生動作を制限できる。
【００３１】
さらに、画像または音声の少なくとも一方を含む主データに、再生動作を制限する制限情報を示す付属情報が含まれているか否かを識別して、主データに制限情報が含まれていると識別されたときには、制限情報に基づいて主データの再生が行われる。このため、主データ提供側で設定した主データの再生動作の制限を、主データ再生側で正しく行わせることができる。
【００３２】
また、付属情報には、主データのフレームレートを示すフレームレート情報を含めることで、主データ再生側では、このフレームレート情報を利用して主データの可変速再生が可能となるとともに、可変速再生時であっても、付属情報が連結された主データを主データ提供側で所望する再生速度に制限できる。さらに、制限情報は、主データを再生して画像や音声の提示を行う際に、画像や音声を所望の品質で提示する情報である。このため、主データ提供側で所望する画像や音声について、品質を低下させることなく良好に提示させることができる。
【発明を実施するための最良の形態】
【００３３】
以下、この発明の実施の形態について説明する。図１は、画像または音声の少なくとも一方を含むコンテンツを生成して、放送や配信あるいは記録媒体化して流通させ、このコンテンツを視聴可能とするコンテンツ提供システムを示している。
【００３４】
図１において、信号再生装置２０は、編集装置３０から供給された再生指示信号ＰＣに基づいた速度で記録媒体の再生を行い、ノイズの少ない画像や音声の再生データＤＴkを生成して編集装置３０に供給する。
【００３５】
編集装置３０は、再生指示信号ＰＣを信号再生装置２０に供給して、信号再生装置２０から供給された再生データＤＴkを用いて編集処理を行う。この再生データＤＴkは、再生指示信号ＰＣで示した速度である設定フレームレートのデータである。また、再生指示信号ＰＣに基づいてフレームレート情報を含む付属情報を生成して再生データＤＴkに連結させて編集処理を行い、放送用や配信用のコンテンツデータＤＣを生成して出力する。ここで言う連結とは、データと、このデータに関するフレームレート情報を含む付属情報が、互いにリンクされている状態であれば良い。例えば互いに別の記録媒体に記録されていたり、別の伝送路で伝送されたものであっても、付属情報に対応するフレーム番号が含まれているようにしていれば、後で互いに対応させることができる。本実施の形態では、このような場合も含めて連結しているという。
【００３６】
編集装置３０は、編集に関した映像信号Ｓvmを生成して編集画像表示装置４０に供給することで、編集画像表示装置４０での表示画像によって画像の編集経過や編集結果等の確認を行う。同様に、編集に関した音声信号Ｓamを生成して編集音声出力装置４１に供給することで、編集音声出力装置４１から出力される音声によって音声の編集経過や編集結果等の確認を行う。
【００３７】
コンテンツ送出装置５０は、編集装置３０から供給されたコンテンツデータＤＣを蓄積する。また、例えばコンテンツ再生装置７０からコンテンツデータの要求がなされたときには、伝送路６０の帯域に応じてコンテンツデータを出力する際のフレームレート（以下「出力フレームレート」という）を調整し、この出力フレームレート調整後のコンテンツデータに基づき送出データＤＴzを生成して、この送出データＤＴzを有線あるいは無線の伝送路６０を介してコンテンツ再生装置７０に供給する。
【００３８】
コンテンツ再生装置７０は、伝送路を介して供給された送出データＤＴzに基づきコンテンツの映像信号Ｓvzや音声信号Ｓazを生成して、コンテンツ提示装置８０に供給する。また付属情報に基づきコンテンツの再生動作を制御する。コンテンツ提示装置８０は、映像信号Ｓvzに基づいた画像表示や音声信号Ｓazに基づいた音声出力を行うことでコンテンツの提示を行う。
【００３９】
図２は、コンテンツデータの生成に用いる素材データが記録された記録媒体を、再生指示信号ＰＣに応じた再生速度で再生する信号再生装置２０の構成、例えば再生指示信号ＰＣに応じた再生速度で再生し、ノイズの少ない画像の再生データＤＴkを得ることができる、ダイナミックトラッキング（ソニー社商標）方式のビデオテープレコーダの構成を示している。
【００４０】
入力された画像および／または音声のデータＤＲinはエンコーダ２０１に供給される。エンコーダ２０１は、供給されたデータＤＲinを用いて、誤り訂正符号の生成やデータのシャフリング，多重化，チャネル符号化等を後述する記録再生制御部２１５から供給された動作制御信号ＣＴＭに基づいて行い記録信号ＳＷを生成する。また、生成した記録信号ＳＷを切換スイッチ２０２に供給する。
【００４１】
切換スイッチ２０２には、記録再生制御部２１５から切換制御信号ＣＴＷが供給されており、この切換制御信号ＣＴＷに基づき切換スイッチ２０２の動作が制御されて、記録信号ＳＷが記録増幅部２０３aあるいは記録増幅部２０３bに供給される。
【００４２】
記録増幅部２０３aは、供給された記録信号ＳＷを増幅して磁気ヘッド２０４aに供給する。記録増幅部２０３bは、供給された記録信号ＳＷを増幅して磁気ヘッド２０４bに供給する。このように、回転ドラム（図示せず）上に設けられている磁気ヘッド２０４a，２０４bに対して、増幅された記録信号ＳＷを供給することで、磁気テープ（図示せず）に画像および／または音声を記録する。
【００４３】
また、磁気ヘッド２０４a，２０４bによって、磁気テープに記録された信号の読み出しを行い、磁気ヘッド２０４aから得られた信号は再生増幅部２０５aに供給する。また、磁気ヘッド２０４bから得られた信号は再生増幅部２０５bに供給する。
【００４４】
この磁気ヘッド２０４a，２０４bは、回転方向に対して１８０度の位相差を有し、電気機械変換素子であるバイモルフ２１１a，２１１bを介して回転ドラムに取り付けられている。バイモルフ２１１a，２１１bには、バイモルフ制御部２１２から例えば鋸歯状の駆動電圧ＢＭa，ＢＭbが供給されて、この駆動電圧ＢＭa，ＢＭbに基づいて磁気ヘッド２０４a，２０４bを回転方向に対して直交する方向に変位させる。
【００４５】
再生増幅部２０５aは、磁気ヘッド２０４aから供給された信号を増幅して切換スイッチ２０６の端子ａに供給する。また、再生増幅部２０５bは、磁気ヘッド２０４bから供給された信号を増幅して切換スイッチ２０６の端子ｂに供給する。切換スイッチ２０６の端子ｃは、デコーダ２０７と接続されている。
【００４６】
切換スイッチ２０６には、記録再生制御部２１５から切換制御信号ＣＴＲが供給されており、この切換制御信号ＣＴＲに基づき切換スイッチ２０６の動作が制御されて、再生増幅部２０５a，２０５bから出力された信号が選択されて、再生信号ＳＲとしてデコーダ２０７に供給される。また、再生信号ＳＲは、バイモルフ制御部２１２に供給される。デコーダ２０７は、再生信号ＳＲの復号化やデータの分離，デシャフリング、誤り訂正処理等を記録再生制御部２１５から供給された動作制御信号ＣＴＭに基づいて行い、画像および／または音声の再生データＤＴkを生成して出力する。また、再生データＤＴkにはタイムコード等の情報が含まれている。
【００４７】
バイモルフ制御部２１２は、磁気テープのトラック上を磁気ヘッド２０４a，２０４bが正しくトレースしているか再生信号ＳＲに基づいて識別して、磁気ヘッド２０４a，２０４bがトラック上を正しくトレースするように駆動電圧ＢＭa，ＢＭbを生成して、バイモルフ２１１a，２１１bに供給する。このため、再生速度が可変されても、磁気テープのトラックを正しくトレースできるダイナミックトラッキング動作が行われて、ノイズの少ない良好な変速再生画像を得ることができる。
【００４８】
記録再生制御部２１５には、ユーザインタフェース部２１６が接続されており、ユーザインタフェース部２１６から供給された操作信号ＰＳvや編集装置３０等の外部機器から供給された操作信号ＰＳwに基づき、切換制御信号ＣＴＷ，ＣＴＲ、エンコーダ２０１およびデコーダ２０７の動作を制御する動作制御信号ＣＴＭを生成する。また、記録再生制御部２１５は、磁気テープや回転ヘッドの駆動制御も行う。さらに、記録再生制御部２１５は、編集装置３０から供給された再生指示信号ＰＣに基づいて、磁気テープや回転ヘッドの駆動制御等を行い、再生指示信号ＰＣで示された速度である設定フレームレートＦＲsのノイズの少ない再生データＤＴkを生成して編集装置３０に供給する。また、記録再生制御部２１５は、動作状態や記録再生動作に関する情報等を表示部２１７に表示する。
【００４９】
なお、図２は、信号再生装置２０としてダイナミックトラッキング方式のビデオテープレコーダの構成を示したが、ノイズの少ない変速再生画像を得ることができるものであれば、光や磁気を利用したディスク状記録媒体あるいは半導体メモリ等を用いる信号再生装置であっても良い。
【００５０】
次に、編集装置３０について説明する。図３は、編集装置３０の構成を示している。素材取込部３１の再生指示回路３１１は、後述する編集制御部３３から供給された制御信号ＲＳに基づき再生指示信号ＰＣを生成して信号再生装置２０に供給することにより、信号再生装置２０での再生速度や再生位置を指示して再生動作を開始させる。また、再生指示信号ＰＣに基づくフレームレート情報ＤＭ-FRsを含む付属情報ＤＭ、すなわち再生指示信号ＰＣによって指示した速度を示す設定フレームレートＦＲsをフレームレート情報ＤＭ-FRsとして、このフレームレート情報ＤＭ-FRsを含む付属情報ＤＭをデータベース化処理回路３１２に供給する。
【００５１】
信号再生装置２０から再生指示信号ＰＣに基づいた設定フレームレートＦＲsの再生データＤＴkが供給されたときには、この再生データＤＴkをデータベース化処理回路３１２に供給する。
【００５２】
データベース化処理回路３１２は、再生データＤＴkを構成する映像データＤＶや音声データＤＡに対して付属情報ＤＭを関係付けて、編集処理部３２のデータ記憶装置３２１に素材データとして記憶させる。また、データベース化処理回路３１２は、データ記憶装置３２１に記憶した素材データを構成する再生データＤＴkに基づいて、容易に素材データの内容を確認可能とするデータベース情報ＤＢを生成して編集制御部３３に供給する。例えば、データベース情報ＤＢは、素材データの内容を識別可能とする情報（例えばサムネイル）、設定フレームレートＦＲs、データ記憶装置３２１における記憶位置等の情報から構成されるものである。さらに、再生指示信号ＰＣに基づいて再生が行われた時間長を示す情報や再生データＤＴkのタイムコード情報等も用いて、データベース情報ＤＢを構成することもできる。また、データベース化処理回路３１２は、再生データＤＴkにタイムコード等の種々の情報が含まれているとき、この情報を付属情報ＤＭに含めるものとすれば、再生データＤＴkに含まれている情報を編集中あるいは編集後に活用できる。
【００５３】
編集制御部３３は、ＧＵＩ(Graphical User Interface)環境で編集処理を可能とするための映像データＤＶgや、データベース情報の内容を表示するための映像データＤＶiを生成して、映像出力信号生成回路３５１に供給する。映像出力信号生成回路３５１は、供給された映像データＤＶg，ＤＶiに基づき映像信号Ｓvmを生成して編集画像表示装置４０に出力する。このように、映像信号Ｓvmを編集画像表示装置４０に供給することで、どのような素材データが記憶されているか等を編集画像表示装置４０の画面上に表示できる。
【００５４】
また、編集制御部３３は、ポストプロダクション処理の制御を行う。すなわち、編集制御部３３に接続されているユーザインタフェース部３４から、ＧＵＩ環境での表示を利用した操作信号ＰＳeが供給されて、操作信号ＰＳeによっていずれかの素材データを選択することが示されたときには、この操作信号ＰＳeに応じた読出制御信号ＲＣを生成して編集処理部３２の書込読出処理回路３２２に供給する。また、操作信号ＰＳeが読み出した素材データの加工や結合等の編集操作に関するものであるときには、操作信号ＰＳeに応じた編集制御信号ＥＴを生成して編集処理部３２の信号編集回路３２３に供給する。さらに、素材データの編集が終了してコンテンツデータが完成されたとき、操作信号ＰＳeがコンテンツデータをデータ記憶装置３２１に記憶する操作を示しているときには、操作信号ＰＳeに応じた書込制御信号ＷＣを生成して、書込読出処理回路３２２に供給する。また、操作信号ＰＳeがコンテンツデータの出力を示しているときには、操作信号ＰＳeに応じた出力制御信号ＲＰを生成して書込読出処理回路３２２に供給する。操作信号ＰＳeがコンテンツデータの再生速度範囲を規定するものであるときには、操作信号ＰＳeに応じた速度範囲設定信号ＬＰを生成して信号編集回路３２３に供給する。
【００５５】
書込読出処理回路３２２は、読出制御信号ＲＣに基づき、要求された素材データをデータ記憶装置３２１から読み出して信号編集回路３２３に供給する。また、書込制御信号ＷＣに基づき、完成されたコンテンツデータＤＣをデータ記憶装置３２１に記憶させる。また、出力制御信号ＲＰに基づき、要求されたコンテンツデータＤＣをデータ記憶装置３２１から読み出して出力する。
【００５６】
信号編集回路３２３は、データ記憶装置３２１から読み出した素材データに含まれている映像データＤＶおよび／または音声データＤＡを用いて、画像や音声の加工や結合および削除等の編集処理を編集制御信号ＥＴに基づいて行う。この編集処理では、素材である映像データＤＶや音声データＤＡのフレームレートを低下させることなくデータの加工や結合等を行い、時間軸上での画像の密度を低下させることなくコンテンツデータを生成する。ここで、信号編集回路３２３は、編集前や編集中あるいは編集後の映像データＤＶeを映像出力信号生成回路３５１に供給し、編集前や編集中あるいは編集後の音声データＤＡeを音声出力信号生成回路３５２に供給する。
【００５７】
また、信号編集回路３２３は識別機能や修正機能および連結機能を有し、ユーザインタフェース部３４からの操作信号ＰＳeに応じた編集処理を行い、映像データＤＶや音声データＤＡのフレームレートの変更を行ったときや再生動作の制限を識別したとき、付属情報ＤＭも編集後の映像データや音声データに合わせて修正する。さらに、信号編集回路３２３は、指示情報である操作信号ＰＳeに応じた速度範囲設定信号ＬＰが供給されたときには、この速度範囲設定信号ＬＰに基づいてコンテンツデータＤＣの再生可能速度範囲を示す速度範囲情報をコンテンツの再生動作を規制する制限情報ＤＭc-LMとして識別して付属情報ＤＭcに含める。
【００５８】
再生可能速度範囲は、一定のフレーム間隔で間引きを行うものとしたりフレーム繰り返しを行うことでノイズレスで自然な再生画像を得ることができるように設定される。例えば、基準フレームレートＦＲrに対する設定フレームレートＦＲsの倍数が１よりも大きいとき、この倍数１以外の約数を求めて、求めた約数の逆数を算出することで再生可能速度を設定できる。すなわち、設定フレームレートＦＲsが基準フレームレートの１０倍であるとき、１以外の約数は「２，５，１０」となり、この約数の逆数「１／１０，１／５，１／２」となる。この約数の逆数を選択することで１倍速未満の再生可能速度を設定できる。また、１倍速以上の再生可能速度は自然数倍とすることで、各再生速度において行う間引き間隔を等しくできる。なお、再生可能速度の上限は、例えば素材データの内容を容易に把握できる速度に制限する。
【００５９】
基準フレームレートＦＲrに対する設定フレームレートＦＲsの倍数が１よりも小さいときには、この倍数の逆数を求めて逆数の１以外の約数あるいは逆数の整数倍の値を算出することで再生可能速度を設定できる。すなわち、設定フレームレートＦＲsが基準フレームレートの（１／６）倍であるとき、逆数の１以外の約数は「２，３，６」となるとともに逆数の整数倍は「６，１２，１８，・・・」となる。この逆数の１以外の約数や逆数の整数倍の値を再生可能速度とすれば、各再生速度において行う間引き間隔あるいは繰り返し回数を等しくできる。また、設定フレームレートＦＲsの倍数が１よりも小さいときに再生速度を（１／ＦＲs）倍速以下としても、再生画像はフレーム画像を所定回数繰り返したものとなるため、再生可能速度の下限を（１／ＦＲs）倍速、または、数回の繰り返しは入るが基本速度である１倍速としても良い。
【００６０】
ユーザインタフェース部３４から操作信号ＰＳeでコンテンツのタイトルやコンテンツの推奨再生速度が入力されたとき、信号編集回路３２３は、これらの情報も付属情報ＤＭcとして連結させる。また、編集処理によってコンテンツデータの再生時間長情報が得られているときには、この情報も付属情報ＤＭcとして連結させるものとしても良い。
【００６１】
また、信号編集回路３２３は、ユーザインタフェース部３４からコンテンツのタイトル等が入力されたときには、この情報も付属情報ＤＭcとして連結させる。また、編集処理によってコンテンツデータの再生時間長情報が得られているときには、この情報も付属情報ＤＭcとして連結させるものとしても良い。
【００６２】
さらに、信号編集回路３２３は、視聴者側でのコンテンツ提示を所望の品質とするため、コンテンツの再生動作を規制する制限情報ＤＭc-LMに、例えば早送り再生やスキップ再生を禁止して所望の再生速度とする情報や、表示サイズや画像の解像度を所望の値に設定する情報等を含める。
【００６３】
信号編集回路３２３は、編集後の映像データＤＶおよび／または音声データＤＡを主データとし、この主データに対応する制限情報ＤＭc-LMが識別されたとき、この制限情報ＤＭc-LMを示す付属情報ＤＭcを、主データに連結させることで出力用のコンテンツデータＤＣを生成する。付属情報ＤＭcには、上述したように、この主データに対応する設定フレームレートＦＲsを示すフレームレート情報ＤＭ-FRsを含める。
【００６４】
このようにして生成した出力用のコンテンツデータＤＣを書込読出処理回路３２２から出力する。なお、主データと付属情報ＤＭcの連結は書込読出処理回路３２２で行うものとしても良い。
【００６５】
編集出力信号生成部３５の映像出力信号生成回路３５１は、上述したように、編集制御部３３から供給された映像データＤＶg，ＤＶiに基づき映像信号Ｓvmを生成して編集画像表示装置４０に供給する。このため、ＧＵＩ環境で素材データに関する情報を表示できる。さらに、映像出力信号生成回路３５１は、信号編集回路３２３から供給された映像データＤＶeに基づき映像信号Ｓvmを生成する。これにより、ユーザは、編集前や編集中あるいは編集後の画像を編集画像表示装置４０の画面上で確認できる。
【００６６】
音声出力信号生成回路３５２は、信号編集回路３２３から供給された音声データＤＡeを、アナログの音声信号Ｓamに変換するとともに所望の信号レベルとして、例えばスピーカやヘッドホンを用いて構成された編集音声出力装置４１に供給する。このため、ユーザは、編集前や編集中あるいは編集後の音声を編集音声出力装置４１から出力される音声によって確認できる。
【００６７】
このように、再生データＤＴkや再生指示信号ＰＣに基づく付属情報ＤＭを用いたポストプロダクション処理を行い、所望の画像または音声の少なくとも一方を含む主データを生成し、再生時における再生動作を制限する制限情報を示す付属情報を連結させて出力用のコンテンツデータＤＣが完成されると、この出力用のコンテンツデータＤＣは編集装置３０から出力される。ここで、コンテンツデータＤＣを視聴者側に供給する場合、伝送路を介してコンテンツデータＤＣを送信したり、コンテンツデータＤＣをデータ記録媒体に記録し、このデータ記録媒体を配布することでコンテンツデータＤＣを供給することができる。このため、コンテンツデータＤＣの出力として、伝送路を介したデータ伝送やデータ記録媒体へのデータ記録を行う。
【００６８】
データ伝送を行う場合、例えば出力用のコンテンツデータＤＣを書込読出処理回路３２２からコンテンツ送出装置５０に供給して、コンテンツ送出装置５０から視聴者側のコンテンツ再生装置７０に供給する。データ記録を行う場合、書込読出処理回路３２２によって例えば光や磁気を利用したディスク状記録媒体あるいは磁気テープまたは半導体メモリ等のデータ記録媒体に出力用のコンテンツデータＤＣを記録する。なお、データ記録媒体に、コンテンツデータのメニュー情報や特殊再生例えば逆時間方向のサーチ動作等を行うための情報等を合わせて記録すれば、データ記録媒体に記録されている所望のコンテンツデータを容易に再生できる。また、画像および／または音声のデータを符号化してデータ量を圧縮すれば、効率よくコンテンツデータを記録できる。さらに、記録されているデータを変更することが出来ないデータ記録媒体を用いれば、付属情報が視聴者側で変更されてしまうことがなく、主データの再生動作を制限情報に応じて確実に制限できる。
【００６９】
図４は、コンテンツ送出装置５０の構成を示している。編集装置３０から供給された配信用のコンテンツデータＤＣは、書込処理部５１に供給される。書込処理部５１は、送出データ生成部５２のコンテンツ蓄積回路５２１と接続されており、供給された配信用のコンテンツデータをコンテンツ蓄積回路５２１に記憶させる。なお、コンテンツデータＤＣは、編集装置３０から供給されたものに限られるものではなく、撮像装置や他の信号再生装置等から供給された画像や音声のデータを用いるものとしても良い。この場合、供給された画像や音声のデータの再生動作を制限するときは、ユーザインタフェース部（図示せず）を設けて指示情報の入力を行い、上述の編集装置３０と同様に、指示情報が主データの再生動作を制限する制限情報を示すか否かを識別して、制限情報を示すと識別された際に、この制限情報を示す付属情報を主データに連結してコンテンツデータＤＣとする。
【００７０】
送出データ生成部５２は、コンテンツデータＤＣに基づき送出データＤＴzの生成を行うものである。送出データ生成部５２のコンテンツ蓄積回路５２１には、読出処理回路５２２が接続されているとともに、この読出処理回路５２２には、配信用のコンテンツデータを伝送する際の伝送路の帯域情報ＷＢやコンテンツ再生装置側からのコンテンツ要求信号ＲＱが後述する伝送処理部５３から供給される。
【００７１】
読出処理回路５２２は、帯域情報ＷＢやコンテンツ蓄積回路５２１に蓄積されている要求されたコンテンツデータＤＣの付属情報ＤＭcに基づき、要求されたコンテンツデータの読み出しを制御して出力フレームレート調整を行い、出力フレームレート調整後のコンテンツデータＤＣzaを情報修正回路５２３に供給する。
【００７２】
また、読出処理回路５２２は、要求されたコンテンツデータの読み出し処理中に、例えば宣伝用コンテンツ等のデータを挿入してコンテンツデータＤＣzaを生成する。この宣伝用コンテンツ等のデータは、コンテンツ蓄積回路５２１に予め記憶させておくものとしても良い。外部機器（図示せず）から読出処理回路５２２に供給するようにしても良い。これらの場合、編集装置３０から供給されたコンテンツデータに宣伝用コンテンツ等が含まれていないときでも、視聴者側へのコンテンツ送出時に宣伝用コンテンツ等を挿入できる。さらに、挿入した宣伝用コンテンツ等の提示を所望の品質で行うものとするときには、再生動作を制限する制限情報ＤＭc-LMを含む付属情報を連結させて、宣伝用コンテンツ等のコンテンツデータとする。
【００７３】
次に、出力フレームレート調整について説明する。出力フレームレート調整は、制限情報ＤＭc-LMを参照して行われる。付属情報ＤＭcに制限情報ＤＭc-LMが含まれていないコンテンツ部分は、出力フレームレート調整が可能な部分とされ、制限情報ＤＭc-LMが含まれているコンテンツ部分は、コンテンツ提示を所望の品質で行うことができるように出力フレームレート調整が制限された部分とされる。
【００７４】
出力フレームレート調整では、例えば後述するエンコーダ５２４で符号化処理を行ったときの１フレーム分のデータ量がＢＤbit、付属情報ＤＭcによって示された設定フレームレートＦＲsが基準フレームレートＦＲrのｎ（ｎは正の値）倍であるとき、単位時間で伝送するデータ量ＢＴは「ＢＴ＝ＢＤ×ｎ×ＦＲr＋ＢＨ」となる。なお、データ量ＢＨは、コンテンツデータをパケット化して伝送するときに付加されるヘッダ情報等をまとめて示したものである。
【００７５】
ここで、帯域情報ＷＢによって伝送可能なデータ量として示された帯域幅ＢＡがデータ量ＢＴより小さくないときには、コンテンツデータの出力フレームレート調整を行わないものとされ、コンテンツ蓄積回路５２１からコンテンツデータが順次読み出され情報修正回路５２３に供給される。また、帯域幅ＢＡがデータ量ＢＴよりも小さいとき、コンテンツデータの映像データに対しては、出力フレームレート調整を行うことでデータ量を少なくして、コンテンツデータの伝送の遅れによる再生画像の途切れを防止する。例えば付属情報ＤＭcに含まれているフレームレート情報ＤＭc-FRsによって示された設定フレームレートＦＲsと、基準フレームレートＦＲrとから、基準フレームレートＦＲrに対する設定フレームレートＦＲsの倍数「ｍ」を識別する。さらに、識別した倍数「ｍ」の約数を求めて、「ｍ」を除く約数の最大値と基準フレームレートＦＲrを乗算して調整後の設定フレームレートとする。すなわち「ｍ＝１０」であるときには約数の最大値が「５」であるので「ｍ＝５」とする出力フレームレート調整を行う。この出力フレームレート調整では、１フレームおきにコンテンツデータを読み出すことで、基準フレームレートＦＲrに対して５倍のフレームレートのコンテンツデータを生成する。また、「ｍ＝９」であるときには「ｍ＝３」に調整して、２フレームおきにコンテンツデータを読み出すことで出力フレームレート調整後のコンテンツデータを生成する。また、調整後のデータ量ＢＴが帯域幅ＢＡよりも大きいときにはさらにフレームレートの調整を行う。このように、「ｍ」を除く約数の最大値を用いて調整後の出力フレームレートを決定すれば、コンテンツデータを読み出す際にフレーム単位で間引きを行うだけで、簡単に出力フレームレート調整後のコンテンツデータを生成できる。
【００７６】
その後、「ｍ＝１」でも調整後のデータ量ＢＴが帯域幅ＢＡよりも大きいときには「ｍ＝１／ｋ」（ｋ：自然数）となるようにフレーム間引きを行うことで、データ量ＢＴを更に少なくできる。また、帯域幅ＢＡが変化したときには帯域幅ＢＡの変化に応じてフレームレートを可変させる。
【００７７】
なお、コンテンツデータの音声データに対しては、映像データに対する出力フレームレート調整に応じてサンプル間引きを行い、出力フレームレート調整後の音声データを生成する。例えば映像データが１フレームおきに読み出されるときには、音声データを１サンプル置きに読み出す。また映像データが２フレームおきに読み出されるときには、音声データを２サンプル置きに読み出して出力フレームレート調整後の音声データを生成する。
【００７８】
情報修正回路５２３は、読出処理回路５２２によって出力フレームレート調整が行われているとき、調整後の出力フレームレートに対応するようにコンテンツデータＤＣzaの付属情報ＤＭzaを修正して、出力フレームレートを正しく示す付属情報ＤＭzとする。さらに、この付属情報ＤＭzを連結したコンテンツデータＤＣzをエンコーダ５２４に供給する。例えば「ｍ＝１０」が「ｍ＝５」に調整されたときには、設定フレームレートＦＲsを「×１０」から「×５」に変更する修正を行い、設定フレームレートＦＲsが「×１０」であることを示すフレームレート情報ＤＭc-FRsを、設定フレームレートＦＲsが「×５」であることを示すフレームレート情報ＤＭz-FRsに変更して付属情報ＤＭzとする。
【００７９】
エンコーダ５２４は、供給されたコンテンツデータＤＣzの符号化処理を行い、映像データＤＶzや音声データＤＡzを伝送に適した信号に符号化して符号化データＤＺを生成する。例えばＭＰＥＧ(Moving Picture Experts Group)４として規格化されている符号化方式等を用いてストリーミング配信に適した信号に符号化する。この符号化処理によって得られた符号化データＤＺに付属情報ＤＭzを連結させて、送出データＤＴzとして伝送処理部５３に供給する。このように、符号化処理を行うことで効率良くコンテンツデータの伝送を行うことが可能となる。また、エンコーダ５２４は、制限情報ＤＭc-LMを含む付属情報ＤＭzが連結されているとき、符号化処理でのデータ圧縮率を低く設定することで、出力フレームレート調整が制限された部分の画質劣化を少なくできる。
【００８０】
伝送処理部５３は、コンテンツ再生装置７０から供給された伝送信号ＴＭrqによってコンテンツデータの要求がなされたとき、要求されているコンテンツデータを示すコンテンツ要求信号ＲＱを読出処理回路５２２に供給する。また、伝送処理部５３は、伝送路６０の帯域に関する帯域情報ＷＢを生成して読出処理回路５２２に供給する。さらに、伝送処理部５３は、コンテンツデータの要求に基づき、エンコーダ５２４から供給された送出データＤＴzを所定のプロトコルの伝送信号ＴＭzとして、伝送路６０を介してコンテンツデータの要求を行ったコンテンツ再生装置７０に供給する。
【００８１】
なお、例えばルータ等のネットワーク機器を用いて伝送処理部５３を構成し、このネットワーク機器が持つ管理情報ベース(ＭＩＢ:Management Information Base）から得ることができるトラフィック情報を、帯域情報ＷＢとして用いることができる。また、計測用のパケットをコンテンツ再生装置７０に送信し、コンテンツ再生装置７０からのレスポンス時間などを測定することで帯域を識別して、この識別結果を帯域情報ＷＢとして用いることもできる。
【００８２】
また、帯域情報ＷＢに基づき読出処理回路５２２の出力フレームレート調整が制限されていない部分のフレームレート調整を行うだけでなく、帯域情報ＷＢに基づきエンコーダ５２４でデータ圧縮率を可変することによってデータ量ＢＴを帯域幅ＢＡに応じて可変するものとしても良い。この場合には、データ量の制御をさらに細かく制御できるので、帯域幅ＢＡが狭くなっても伝送される画像や音声の品質の劣化を少なくすることが可能となる。さらに、設定フレームレートＦＲsの等しい状態が続くフレーム期間中は、調整後のフレームレートを帯域情報ＷＢにかかわらず一定として、データ量ＢＴの調整をエンコーダ５２４で行うこともできる。この場合には、編集装置３０によって所望のフレームレートに設定したコンテンツ部分が、帯域幅ＢＡに応じて異なる出力フレームレートに調整されてしまうことを防止できる。なお、出力フレームレート調整は、コンテンツ送出装置で行う場合に限られるものではない。例えば上述の編集装置３０からコンテンツデータＤＣを出力する場合に、コンテンツデータのフレームレートや付属情報の修正を行うこともできる。
【００８３】
ところで、上述のコンテンツ送出装置５０のコンテンツ送出処理は、コンピュータを用いてソフトウェア処理によっても実現できる。このソフトウェア処理によってコンテンツ送出を行う場合の構成を図５に示す。
【００８４】
コンピュータは、図５に示すようにＣＰＵ(Central Processing Unit)５５１を内蔵しており、このＣＰＵ５５１にはバス５６０を介してＲＯＭ５５２，ＲＡＭ５５３，記憶容量が大容量であるハード・ディスク・ドライブ等を用いて構成したデータ蓄積部５５４，入出力インタフェース５５５が接続されている。さらに、入出力インタフェース５５５には信号入力部５６１や通信部５６２、記録媒体ドライブ５６３が接続されている。
【００８５】
ＣＰＵ５５１は、ＲＯＭ５５２やＲＡＭ５５３あるいはデータ蓄積部５５４に記憶されているプログラムを実行して、コンテンツ送出処理を行う。信号入力部５６１に入力されたコンテンツデータは、入出力インタフェース５５５とバス５６０を介してデータ蓄積部５５４に記憶させる。また、ＣＰＵ５５１は、通信部５６２を介してコンテンツ要求信号ＲＱが供給されたとき、データ蓄積部５５４に記憶されているコンテンツデータから、要求されたコンテンツデータの読み出しを行い、この読み出しを制御して伝送路６０に応じたデータ量のコンテンツデータとなるように出力フレームレート調整を行う。さらに、伝送に適した符号化を行って送出データＤＴzを生成する。この生成した送出データＤＴzを、通信部５６２を介して出力する。
【００８６】
なお、コンテンツ送出処理を行うプログラムは、予めＲＯＭ５５２やデータ蓄積部５５４に記憶させておくものとしたり、記録媒体ドライブ５６３によって、コンテンツ送出処理のプログラムを記録媒体に記録しあるいは記録媒体に記録されているプログラムを読み出して実行するものとしても良い。さらに、通信部５６２によって、プログラムを有線あるいは無線の伝送路を介して送信あるいは受信するものとし、受信したプログラムをコンピュータで実行するものとしても良い。
【００８７】
図６は、コンテンツ送出処理動作を示すフローチャートである。ステップＳＴ１１で、ＣＰＵ５５１は、コンテンツデータＤＣの取り込みを行い、信号入力部５６１に入力されたコンテンツデータＤＣをデータ蓄積部５５４に記憶させる。なお、コンテンツデータは、編集装置３０から供給されたデータに限られるものではなく、他の信号再生装置から出力された再生データや可変速記録が可能な撮像装置から出力された映像データ等を用いてコンテンツデータを生成してデータ蓄積部５５４に記憶するものとしても良い。
【００８８】
ＣＰＵ５５１は、ステップＳＴ１２で、コンテンツデータの要求がなされたか否かを識別する。ここでコンテンツデータの要求がなされていないときにはステップＳＴ１２に戻り、コンテンツデータの要求が例えば通信部５６２を介してなされたときにはステップＳＴ１３に進む。
【００８９】
ＣＰＵ５５１は、ステップＳＴ１３で、要求されたコンテンツデータの付属情報ＤＭcを読み出してステップＳＴ１４に進む。
【００９０】
ＣＰＵ５５１は、ステップＳＴ１４で、伝送路の帯域を検出するとともに、検出された帯域に基づき制限情報を参照してコンテンツの出力フレームレートを調整する。さらに、ＣＰＵ５５１は、調整されたフレームレートとなるようにコンテンツデータをデータ蓄積部５５４から読み出してステップＳＴ１５に進む。
【００９１】
ＣＰＵ５５１は、ステップＳＴ１５で、読み出したコンテンツデータＤＣzaの付属情報ＤＭzaが、調整後である出力フレームレートと対応するように修正してステップＳＴ１６に進む。
【００９２】
ＣＰＵ５５１は、ステップＳＴ１６で、付属情報の修正がなされたコンテンツデータＤＣzを用いて伝送路に応じた符号化処理を行い符号化データＤＺを生成する。さらに、生成した符号化データＤＺと修正後の付属情報ＤＭzを用いて、送出データＤＴzを生成してステップＳＴ１７に進む。
【００９３】
ＣＰＵ５５１は、ステップＳＴ１７で、コンテンツデータの要求先に向けて、生成した送出データＤＴzを通信部５６２から出力する。
【００９４】
次に、コンテンツ再生装置について説明する。図７は、コンテンツ再生装置７０の構成を示している。コンテンツ送出装置５０から供給された伝送信号ＴＭzは、入力部７１の通信回路７１１に供給される。入力部７１はコンテンツデータの取り込みを行うものであり、入力部７１の通信回路７１１は、供給された伝送信号ＴＭzから送出データＤＴzを生成するとともに、この送出データＤＴzから符号化データＤＺと付属情報ＤＭzを抽出する。さらに、通信回路７１１は、抽出した付属情報ＤＭzを情報記憶回路７１２に供給し、符号化データＤＺをデータ保持回路７１３に供給する。また通信回路７１１は、後述する再生制御部７２からのコンテンツ要求信号ＲＱに基づき伝送信号ＴＭrqを生成して、コンテンツ送出装置５０に供給する。
【００９５】
情報記憶回路７１２は、供給された付属情報ＤＭzを記憶する。またデータ保持回路７１３は、供給された符号化データＤＺを記憶する。
【００９６】
再生制御部７２には、ユーザインタフェース部７３が接続されている。再生制御部７２は、ユーザインタフェース部７３からの操作信号ＰＳpがコンテンツデータの要求を行うものであるとき、操作信号ＰＳpに基づいたコンテンツ要求信号ＲＱを生成して通信回路７１１に供給することで、コンテンツ送出装置５０に対してコンテンツデータの送出要求を行う。
【００９７】
また、操作信号ＰＳpがコンテンツデータの再生を指示するものであるとき、再生制御部７２は、読出制御信号ＣＮをデータ保持回路７１３に供給して、再生の指示が行われたコンテンツの符号化データＤＺをデータ保持回路７１３から読み出して再生処理部７４に供給する。さらに、再生制御部７２は、読み出した符号化データＤＺに対応する付属情報ＤＭzを情報記憶回路７１２から読み出して、付属情報ＤＭzに含まれている情報を表示する映像データＤＶs、例えば付属情報ＤＭzに含まれている制限情報に基づき再生可能速度範囲を示す映像データ、付属情報ＤＭzにタイムコード等の時間情報が含まれているとき、この時間情報で示された合計時間や再生位置の時間等を示す映像データを生成して再生処理部７４に供給する。これにより、テレビジョン装置やモニター装置等であるコンテンツ提示装置８０の画面上に再生可能速度範囲や合計時間および再生位置の時間等が表示される。また、付属情報ＤＭzに速度範囲情報が含まれていないときには、上述の編集装置３０において示したように再生可能速度範囲の設定を行う。設定された再生可能速度範囲は、コンテンツ提示装置８０の画面上に表示される。
【００９８】
操作信号ＰＳpがコンテンツの再生速度ＦＰを可変するものであるとき、再生制御部７２は、再生処理部７４の動作を制御する提示制御信号ＣＰを付属情報ＤＭzに基づき生成して再生処理部７４に供給する。
【００９９】
再生制御部７２は、付属情報ＤＭzに制限情報ＤＭc-LMが設けられているときには、操作信号ＰＳpによってなされた指示にかかわらず、制限情報ＤＭc-LMが設けられているコンテンツの再生動作を規制する。ここで、再生制御部７２は、制限情報ＤＭc-LMが規制の内容、例えば再生速度や画像サイズ等を示しているとき、この規制の内容で示された条件で再生を行うように提示制御信号ＣＰを生成して再生処理部７４に供給する。また、再生制御部７２は、制限情報ＤＭc-LMが連結されていないとき、予め設定されている条件で再生を行うように提示制御信号ＣＰを生成して再生処理部７４に供給する。
【０１００】
なお、再生制御部７２は、付属情報ＤＭzによって推奨再生速度が示されているとともに制限情報ＤＭc-LMが設けられていない場合、操作信号ＰＳpによって再生速度が指示されていないときには、この推奨再生速度で再生動作を行うように提示制御信号ＣＰを生成する。また、再生制御部７２は、付属情報ＤＭzによって、コンテンツのタイトルや時間長が示されているときには、これらの情報をコンテンツ提示装置８０の画面上に表示させる。
【０１０１】
コンテンツの可変速再生を行う再生処理部７４は、データ保持回路７１３から供給された符号化データＤＺの復号化処理を行い、コンテンツの映像データＤＶzや音声データＤＡzを生成する。再生処理部７４は、さらに、生成した映像データＤＶzや音声データＤＡzに対して提示制御信号ＣＰに基づいた間引きや繰り返し処理を行い、ユーザの設定した再生速度ＦＰあるいは推奨再生速度と等しい再生速度ＦＰに応じた再生フレームレートの映像信号Ｓvzや音声信号Ｓazを生成してコンテンツ提示装置８０に供給することで、コンテンツ提示を行う。また、再生処理部７４は、付属情報ＤＭzに含まれている情報を表示する映像データＤＶsが供給されたときには、この映像データＤＶsに基づく表示、例えば再生可能速度範囲等をコンテンツ提示装置８０の画面上に表示する映像信号Ｓvzの生成を行う。
【０１０２】
また、コンテンツ再生装置７０は、コンテンツデータＤＣが記録されている記録媒体を用いるものであっても良い。この場合、記録媒体を再生して得られた再生信号から付属情報と画像および／または音声の符号化データを分離して、この付属情報を情報記憶回路７１２に記憶させ、符号化データをデータ保持回路７１３に記憶させることで、同様に処理することができる。
【０１０３】
ところで、上述のコンテンツ再生装置７０のコンテンツ再生処理も、コンピュータでソフトウェア処理することによって実現できる。このソフトウェア処理によってコンテンツ再生を行う場合の構成を図８に示す。
【０１０４】
コンピュータは、図８に示すようにＣＰＵ７５１を内蔵しており、このＣＰＵ７５１にはバス７６０を介してＲＯＭ７５２，ＲＡＭ７５３，データ蓄積部７５４，入出力インタフェース７５５が接続されている。さらに、入出力インタフェース７５５には通信部７６１やユーザインタフェース部７６２、信号出力部７６３、記録媒体ドライブ７６４が接続されている。
【０１０５】
ＣＰＵ７５１は、ＲＯＭ７５２やＲＡＭ７５３あるいはデータ蓄積部７５４に記憶されているプログラムを実行して、ユーザインタフェース部７６２からの操作信号ＰＳpに基づいたコンテンツ送出処理動作を行う。ここで、通信部７６１に送出データＤＴzが供給されたとき、通信部７６１は、符号化データＤＺと付属情報ＤＭzを抽出する。この通信部７６１で抽出された符号化データＤＺと付属情報ＤＭzをデータ蓄積部７５４に記憶させる。また、ユーザインタフェース部７６２からの操作信号ＰＳpに基づいて、データ蓄積部７５４に記憶されている符号化データＤＺの読み出しや復号化処理を行い、映像データＤＶzや音声データＤＡzを生成して信号出力部７６３に供給する。信号出力部７６３は、映像データＤＶzや音声データＤＡzに基づき、コンテンツ提示装置８０に応じた映像信号Ｓvzや音声信号Ｓazを生成して出力する。
【０１０６】
なお、コンテンツ再生処理を行うプログラムは、予めＲＯＭ７５２やデータ蓄積部７５４に記憶させておくものとしたり、記録媒体ドライブ７６４によって、コンテンツ再生処理のプログラムを記録媒体に記録しあるいは記録媒体に記録されているプログラムを読み出して実行するものとしても良い。さらに、通信部７６１によって、プログラムを有線あるいは無線の伝送路を介して送信あるいは受信するものとし、受信したプログラムをコンピュータで実行するものとしても良い。
【０１０７】
図９は、コンテンツ再生処理動作を説明するためのフローチャートである。コンテンツデータを再生する場合、ＣＰＵ７５１は、ＧＵＩ環境を構成するための画像をコンテンツ提示装置８０に表示させる。この表示画像に対応した操作がユーザインタフェース部７６２で行われることで操作入力が行われる。
【０１０８】
図１０は、コンテンツ提示装置８０に表示したＧＵＩ環境を構成する画像を例示したものである。コンテンツ提示装置８０の画面上には、コンテンツの画像を表示するビュワー部８０１、再生速度ＦＰを可変するためのインタフェースである速度可変コンソール部８０２、再生速度ＦＰを表示する再生速度表示部８０３、動作モードや音量等の切り換えを行うための動作コントロール部８０４、コンテンツのタイトルを示すタイトル表示部８０５、コンテンツの再生時間や現在の時間を表示する時間表示部８０６、現在の再生位置を示す再生位置表示部８０７等が設けられている。
【０１０９】
ＣＰＵ７５１は、図９のステップＳＴ２１で、データ蓄積部７５４からコンテンツの付属情報ＤＭzを読み出して、入出力インタフェース７５５を介して信号出力部７６３からコンテンツ提示装置８０に、付属情報ＤＭzに基づいて生成された映像信号Ｓvzや音声信号Ｓazを出力する。これにより、コンテンツ提示装置８０で付属情報ＤＭzに基づいた表示が行われる。例えばコンテンツのタイトルやコンテンツの時間長がタイトル表示部８０５や時間表示部８０６に表示される。また再生可能速度範囲が速度可変コンソール部８０２に表示される。
【０１１０】
ＣＰＵ７５１は、ステップＳＴ２２で、動作コントロール部８０４を利用して、コンテンツの再生開始操作が行われたか否かを操作信号ＰＳpに基づき識別する。ここで、再生開始操作が行われていないとき、ＣＰＵ７５１はステップＳＴ２２に戻り、再生開始操作が行われたときにはステップＳＴ２３に進む。
【０１１１】
ＣＰＵ７５１は、ステップＳＴ２３で、再生速度ＦＰと付属情報ＤＭzに応じて再生処理条件の設定、すなわち符号化データＤＺを復号化して得られた映像データＤＶzや音声データＤＡzから映像信号Ｓvzや音声信号Ｓazを生成する際、映像データＤＶzや音声データＤＡzを用いて行うデータの間引き間隔やデータの繰り返し数等を決定してステップＳＴ２４に進む。
【０１１２】
ＣＰＵ７５１は、ステップＳＴ２４で、データ蓄積部７５４から符号化データＤＺを読み出して復号化して映像データＤＶzや音声データＤＡzを生成するとともに、ステップＳＴ２３で決定された再生処理条件でデータの間引きやデータの繰り返し等を行い、コンテンツ提示用である再生フレームレートの映像信号Ｓvzや音声信号Ｓazを生成する。この生成した映像信号Ｓvzや音声信号Ｓazをコンテンツ提示装置８０に供給することで、速度可変コンソール部８０２のカーソル位置（太線で示す）で示された再生速度ＦＰの再生画像をコンテンツ提示装置８０のビュワー部８０１に表示する。また、このときの再生速度ＦＰを再生速度表示部８０３に表示し、再生時間や再生位置を時間表示部８０６や再生位置表示部８０７に表示する。また、コンテンツ提示装置８０は、速度可変コンソール部８０２のカーソル位置で示された再生速度ＦＰでの再生音声を出力する。
【０１１３】
ＣＰＵ７５１は、ステップＳＴ２５で、速度可変コンソール部８０２のカーソル位置が移動されて再生速度ＦＰが変更されたか否かを識別する。ここで、再生速度ＦＰの変更が行われたと識別されたときにはステップＳＴ２３に戻り、再生速度ＦＰの変更が行われたと識別されていないときにはステップＳＴ２６に進む。
【０１１４】
ＣＰＵ７５１は、ステップＳＴ２６で、再生動作の終了であるか否かを識別する。ここで、再生動作を停止する操作が行われていないとき、あるいはコンテンツの再生位置が終了位置となっていないときにはステップＳＴ２５に戻る。また、停止操作が行われたとき、あるいは再生位置が終了位置となったときには、変速再生動作を終了する。
【０１１５】
図１１は、画像に対しての再生処理条件の設定動作を示すフローチャートである。ＣＰＵ７５１は、ステップＳＴ３１で、速度可変コンソール部８０２のカーソル位置に基づいて再生速度ＦＰを識別してステップＳＴ３２に進む。ここで、基準フレームレートＦＲrを１倍速として、速度可変コンソール部８０２でのカーソルの初期位置を例えば１倍速の位置とすることで、再生動作開始時の再生速度ＦＰを設定する。また、編集装置３０によって再生速度ＦＰが推奨されているときには、この推奨されている再生速度ＦＰの位置をカーソルの初期位置とし、推奨されている再生速度ＦＰを、再生動作開始時の再生速度ＦＰと設定する。さらに、ユーザインタフェース部７６２からの操作信号ＰＳpによって、カーソル位置を移動するユーザ操作が行われたときにはカーソル位置と対応する速度を再生速度ＦＰとする。なお、図示せずも、コンテンツ提示装置８０側にカーソル位置を移動する操作部を設けて、この操作部からＣＰＵ７５１に操作信号を供給して、再生速度を設定することも可能である。
【０１１６】
ＣＰＵ７５１は、ステップＳＴ３２で、付属情報ＤＭzに制限情報ＤＭc-LMが含まれているか否かを識別する。ここで制限情報ＤＭc-LMが含まれているときにはステップＳＴ３３に進む。また含まれていないときにはステップＳＴ３４に進む。ＣＰＵ７５１は、ステップＳＴ３３で、制限情報ＤＭc-LMに基づいて再生処理条件を決定する。例えば、操作信号ＰＳpによって指示された速度にかかわらず、制限情報ＤＭc-LMに基づいた速度や表示サイズ等、あるいは予め設定されている速度や表示サイズ等として、コンテンツ提示を所望の品質で行う。
【０１１７】
ＣＰＵ７５１は、ステップＳＴ３４で、設定フレームレートＦＲsを識別してステップＳＴ３５に進む。ＣＰＵ７５１は、ステップＳＴ３５で、再生速度ＦＰと設定フレームレートＦＲsを乗算して、再生処理条件を決定するための識別値ＦＤを算出する。
【０１１８】
ＣＰＵ７５１は、ステップＳＴ３６で、識別値ＦＤに基づいて再生処理条件を決定する。ここで識別値ＦＤが１以上で小数点以下の値を含まないときには、識別値ＦＤに応じたフレーム間隔で画像を間引いて出力するように再生処理条件を決定する。識別値ＦＤが１以上で小数点以下の値を含む場合、基準フレームレートＦＲrに対する設定フレームレートＦＲsの倍数分のフレームから、識別値ＦＤの整数値部分に応じたフレーム間隔で画像の間引きを行い、再生速度分の画像を読み出すように再生処理条件を決定する。識別値ＦＤが１未満である場合には、所望の再生速度に応じたフレーム数となるまで同じ画像を繰り返し出力するように再生処理条件を決定する。このように決定された再生処理条件に基づいて上述のステップＳＴ２４の処理を行うことにより、正しく所望の再生速度でコンテンツの画像を提示させることができる。また、コンテンツ提示側で制限情報ＤＭc-LMを設定したときには、この制限情報ＤＭc-LMに基づいた再生動作、すなわち所望の品質でコンテンツを提示する再生動作を行う。
【０１１９】
図１２は、識別値ＦＤが１以上で小数点以下の値を含まない場合での画像再生動作を示している。図１２Ａは、設定フレームレートＦＲsが基準フレームレートＦＲrに対して１０倍速とされているときの映像データＤＶzに基づく画像を示している。また図１２Ｂはフレーム画像の設定フレームレートＦＲsを示すフレームレート情報ＤＭz-FRs、図１２Ｃは制限情報ＤＭc-LM、図１２Ｄは絶対フレーム番号ＡＮをそれぞれ示している。なお、図１２Ｃに示す制限情報ＤＭc-LMは、例えばフラグを用いるものとしてフラグがハイレベル「Ｈ」のときに再生動作の規制を行うものとする。また図１２Ａから図１２Ｈおよび後述する図１３Ａから図１３Ｆと図１４Ａから図１４Ｇでは、コマーシャル部分「ＣＭ」で再生動作の規制を行うものする。
【０１２０】
再生速度ＦＰが（１／５）倍速とされたとき、識別値ＦＤは「１０×（１／５）＝２」となる。このため、図１２Ｅ，図１２Ｆに示すように、「ＦＤ＝２」フレーム目毎、すなわち映像データＤＶzを１フレーム置きに用いて再生フレームレートの映像信号Ｓvzを生成することで、（１／５）倍速での再生画像をコンテンツ提示装置８０に表示できる。また、制限情報ＤＭc-LMがハイレベル「Ｈ」とされたときには、制限情報ＤＭc-LMに基づいた再生動作、例えば再生速度を予め設定されている１倍速に自動的に切り換えて、コマーシャル部分のフレーム画像を順次読み出す。また、表示サイズ等が操作信号ＰＳpに基づいて変更されているときには、予め設定されている表示サイズに自動的に切り換える。このような再生動作を行うことにより、コンテンツ提供側が所望する品質でコマーシャルを提示できる。
【０１２１】
また、上述したように制限情報ＤＭc-LMが規制の内容を示しているときには、この規制の内容で示された条件で再生動作を行う。なお、図１２Ｅは表示される画像の絶対フレーム番号ＡＮを示しており、図１２Ｆは映像信号Ｓvzで表示されるフレーム画像を示している。
【０１２２】
再生速度ＦＰが２倍のとき、識別値ＦＤは「１０×２＝２０」となる。このため、図１２Ｇ，図１２Ｈに示すように、「ＦＤ＝２０」フレーム目毎すなわち映像データＤＶzを１９フレーム分飛ばしながら用いて映像信号Ｓvzを生成することで、２倍速の再生画像をコンテンツ提示装置８０に表示できる。また、制限情報ＤＭc-LMがハイレベル「Ｈ」とされたときには、再生速度を例えば１倍速に自動的に切り換えて、コマーシャル部分のフレーム画像を順次読み出すことにより、コンテンツ提供側が所望する品質でコマーシャルを提示できる。なお、図１２Ｇは表示される画像の絶対フレーム番号ＡＮを示しており、図１２Ｈは映像信号Ｓvzで表示されるフレーム画像を示している。
【０１２３】
図１３は、識別値ＦＤが１以上で小数点以下の値を含む場合の画像再生動作を示している。図１３Ａは、設定フレームレートＦＲsが基準フレームレートＦＲrに対して７倍速とされているときの映像データＤＶzに基づく画像を示している。また図１３Ｂはフレームレート情報ＤＭz-FRs、図１３Ｃは制限情報ＤＭc-LM、図１３Ｄは絶対フレーム番号ＡＮをそれぞれ示している。
【０１２４】
ここで、再生速度ＦＰが（１／３）倍速であるとき、識別値ＦＤは「７×（１／３）＝２．３３・・・」となる。このため、図１３Ｅ，図１３Ｆに示すように、基準フレームレートＦＲrに対する設定フレームレートＦＲsの倍数分である７フレームから、識別値ＦＤの整数値部分に応じて２フレーム目毎すなわち１フレーム置きに映像データの読み出しを行い、３フレーム分の映像データＤＶzを出力させることで、（１／３）倍速の再生画像を得ることができる。また、制限情報ＤＭc-LMがハイレベル「Ｈ」とされたときには、再生速度を予め設定されている例えば１倍速に自動的に切り換えて、コマーシャル部分のフレーム画像を順次読み出すことにより、コンテンツ提供側が所望する品質でコマーシャルを提示できる。なお、図１３Ｅは表示される画像の絶対フレーム番号ＡＮを示しており、図１３Ｆは映像信号Ｓvzで表示されるフレーム画像を示している。
【０１２５】
図１４は、識別値ＦＤが１未満となる場合での再生動作を示している。図１４Ａは、設定フレームレートＦＲsが基準フレームレートＦＲrに対して（１／４）倍速とされているときの映像データＤＶzに基づく画像を示している。また図１４Ｂはフレームレート情報ＤＭz-FRs、図１４Ｃは制限情報ＤＭc-LM、図１４Ｄは絶対フレーム番号ＡＮをそれぞれ示している。
【０１２６】
ここで、再生速度ＦＰが２倍速とされたとき、識別値ＦＤは「（１／４）×２＝１／２」となる。このため、図１４Ｅ〜図１４Ｇに示すように、再生速度に応じたフレーム数すなわち映像データＤＶzをフレーム毎に２回繰り返し用いて映像信号Ｓvzを生成することで、２倍速での再生画像をコンテンツ提示装置８０に表示できる。また、制限情報ＤＭc-LMがハイレベル「Ｈ」とされたときには、再生速度を予め設定されている例えば１倍速に自動的に切り換えて、コマーシャル部分のフレーム画像を順次読み出すことにより、コンテンツ提供側が所望する品質でコマーシャルを提示できる。なお、図１４Ｅは制限情報ＤＭc-LM、図１４Ｆは表示される画像の絶対フレーム番号ＡＮを示しており、図１４Ｇは映像信号Ｓvzで表示されるフレーム画像を示している。
【０１２７】
ところで、図１２と図１３および図１４では、コマーシャル等を挿入して再生動作を規制するものとしたが、コンテンツの一部の再生動作を規制することもできる。図１５は、設定フレームレートＦＲsが基準フレームレートＦＲrに対して１０倍速とされているコンテンツにおいて、一部のシーンの可変速再生動作を制限する場合を示している。図１５Ａは、映像データＤＶzに基づく画像を示している。また図１５Ｂはフレーム画像の設定フレームレートＦＲsを示すフレームレート情報ＤＭz-FRs、図１５Ｃは制限情報ＤＭc-LM、図１５Ｄは絶対フレーム番号ＡＮをそれぞれ示している。
【０１２８】
ここで、再生速度ＦＰが（１／５）倍速とされたとき、識別値ＦＤは「１０×（１／５）＝２」となる。このため、図１５Ｅ，図１５Ｆに示すように、映像データＤＶzを１フレーム置きに用いて映像信号Ｓvzを生成することで、（１／５）倍速での再生画像をコンテンツ提示装置８０に表示できる。また、制限情報ＤＭc-LMがハイレベル「Ｈ」とされたときには、再生可能速度範囲の最低値である１／１０倍速に自動的に切り換えて、フレーム画像を間引くことなく再生する。このようにすれば、再生速度を可変できるようにコンテンツを提供できるだけでなく、コンテンツ提供側が意図する部分のみ再生速度を制限することもできる。なお、図１５Ｅは表示される画像の絶対フレーム番号ＡＮを示しており、図１５Ｆは再生フレームレートである映像信号Ｓvzで表示されるフレーム画像を示している。
【０１２９】
次に、音声について説明する。図１６は、音声に対しての再生処理条件の設定動作を示すフローチャートである。音声については、フレーム単位で音声データＤＡzを用いるものとしたとき、フレーム間で音のつながりがなくなり音の不連続を生じてしまう。このため、音声については、サンプル単位で再生処理を行う。
【０１３０】
ＣＰＵ７５１は、ステップＳＴ４１で、ステップＳＴ３１と同様にして再生速度を識別してステップＳＴ４２に進む。ステップＳＴ４２では、ステップＳＴ３２と同様に、付属情報ＤＭzに制限情報ＤＭc-LMが含まれているか否かを識別する。ここで制限情報ＤＭc-LMが含まれているときにはステップＳＴ４３に進む。また含まれていないときにはステップＳＴ４４に進む。ＣＰＵ７５１は、ステップＳＴ４３で、制限情報ＤＭc-LMに基づいて再生処理条件を決定する。例えば、操作信号ＰＳpによって指示された速度にかかわらず、制限情報ＤＭc-LMに基づいた再生速度等、あるいは予め設定されている再生速度等として、コンテンツ提示を所望の品質で行う。
【０１３１】
ＣＰＵ７５１は、ステップＳＴ４４で、ステップＳＴ３４と同様に、設定フレームレートＦＲsを識別してステップＳＴ４５に進む。ステップＳＴ４５では、再生速度ＦＰと設定フレームレートＦＲsを乗算して、再生処理条件を決定するための識別値ＦＤを算出する。
【０１３２】
ＣＰＵ７５１は、ステップＳＴ４６で、識別値ＦＤに基づいて再生処理条件を決定する。ここで識別値ＦＤが１以上で小数点以下の値を含まないときには、識別値ＦＤに応じたサンプル間隔で音声データの間引きを行うように再生処理条件を決定する。識別値ＦＤが１以上で小数点以下の値を含む場合、基準フレームレートＦＲrに対する設定フレームレートＦＲsの倍数分のフレームから、識別値ＦＤの整数値部分に応じたサンプル間隔で音声データの間引きを行い、再生速度分の音声データを読み出すように再生処理条件を決定する。識別値ＦＤが１未満である場合には、所望の再生速度に応じたフレーム数分のサンプル数となるように音声データを繰り返し用いるよう再生処理条件を決定する。このように決定された再生処理条件に基づいて上述のステップＳＴ２４の処理を行うことで、正しく所望の再生速度でコンテンツの音声を提示させることができる。また、コンテンツ提示側で制限情報を設定したときには、この制限情報に基づいたコンテンツ音声の提示を行うことができる。
【０１３３】
図１７は、識別値ＦＤが１以上で小数点以下の値を含まない場合での音声再生動作を示している。図１７Ａは、絶対フレーム番号ＡＮを示しており、図１７Ｂはフレームレート情報ＤＭz-FRs、図１７Ｃは制限情報ＤＭc-LMを示している。
【０１３４】
ここで、再生速度ＦＰが（１／５）倍速とされたとき、設定フレームレートＦＲsは基準フレームレートＦＲrに対して１０倍速とされていることから、識別値ＦＤは「１０×（１／５）＝２」となる。このため、「ＦＤ＝２」サンプル目毎すなわち１サンプル置きに音声データＤＡzを用いて音声信号Ｓazを生成することで、１／５倍速での再生音声をコンテンツ提示装置８０から出力できる。また、制限情報ＤＭc-LMがハイレベル「Ｈ」とされたときには、再生速度を予め設定されている例えば１／１０倍速に自動的に切り換えて、音声データＤＡzを順次読み出すことにより、コンテンツ提供側が所望する品質で音声を提示できる。なお、図１７Ｄは、映像信号Ｓvzの生成に用いられるフレームを示しており、図１７Ｅは音声データＤＡzが１４サンプル／フレームであるとき、音声信号Ｓazで用いられる音声データを示している。
【０１３５】
図１８は、識別値ＦＤが１以上で小数点以下の値を含む場合での音声再生動作を示している。図１８Ａは、絶対フレーム番号ＡＮを示しており、図１８Ｂはフレームレート情報ＤＭz-FRs、図１８Ｃは制限情報ＤＭc-LMを示している。
【０１３６】
ここで、再生速度ＦＰが（１／３）倍速とされたとき、設定フレームレートＦＲsは基準フレームレートＦＲrに対して７倍速とされていることから、識別値ＦＤは「７×（１／３）＝２．３・・・」となる。また、音声データＤＡzが１４サンプル／フレームであるとき、（１／３）倍速における１フレームのサンプル数は「１４×３／７＝６」となる。このため、識別値ＦＤの整数値部分に応じて２サンプル目毎すなわち１サンプル置きに音声データＤＡzを出力させるとともに、１フレームのサンプル数分である６サンプルの音声データＤＡzの出力がなされたときには、次のフレームの先頭に移動して１サンプル置きに音声データＤＡzを出力させるようにする。このように音声データＤＡzを選択して出力させることで、（１／３）倍速の再生音声を得ることができる。また、制限情報ＤＭc-LMがハイレベル「Ｈ」とされたときには、再生速度を予め設定されている例えば（１／７）倍速に自動的に切り換えて、音声データＤＡzを順次読み出すことにより、コンテンツ提供側が所望する品質で音声を提示できる。
【０１３７】
また、音声信号Ｓazに基づいて音声出力する場合にフィルタ処理を行うものとすれば、音声データＤＡzの間引きによる影響を少なくして良好な再生音声を出力できる。なお、図１８Ｄは、映像信号Ｓvzの生成に用いられるフレームを示しており、図１８Ｅは音声データＤＡzが１４サンプル／フレームであるとき、音声信号Ｓazで用いられる音声データを示している。
【０１３８】
また、音声データＤＡzの間引きを行って音声信号Ｓazの生成する場合、音声データＤＡzの間隔が広くなって再生音が不連続となってしまうことがないように、音声信号Ｓazの生成に用いる音声データの間隔が略一定となるように間引きを行うものとしても良い。例えば設定フレームレートＦＲsが基準フレームレートＦＲrのＫＡ倍とされており、再生速度ＦＰが（１／ＫＢ）倍とされているとき、連続するＫＢサンプルの音声データＤＡzから略等間隔でＫＢサンプル分の音声データを取りだして、この取り出した音声データに基づいて音声信号Ｓazを生成する。さらに、識別値ＦＤが１未満である場合には、図示せずも画像のフレーム繰り返し数分だけ各音声データを繰り返して順次用いることで、所望の再生速度の音声データＤＡzを生成できるとともに、制限情報ＤＭc-LMに応じて音声データＤＡzの読み出しを制御することで、コンテンツ提供側が所望する品質で音声を提示できる。
【０１３９】
このように、上述の実施の形態によれば、コンテンツの再生時に可変速再生が可能とされていても、コンテンツ提示側で所望する部分については、所望の品質でコンテンツ提示を行うことができる。このため、例えばコマーシャルのコンテンツデータに制限情報を設けておけば、可変速再生動作が行われていても、コマーシャル部分についてはコンテンツの提供側が所望する品質でコンテンツ提示を行うことができる。
【産業上の利用可能性】
【０１４０】
以上のように、本発明にかかるデータ処理装置とデータ処理方法とプログラムおよびデータ記録媒体は、主データを提供する際に、この主データの再生動作を規制する場合に有用であり、ネットワーク等を介して画像や音声のコンテンツを配信する際に、コンテンツの提供側で再生動作を規制するのに好適である。
【図面の簡単な説明】
【０１４１】
【図１】コンテンツ提供システムの全体構成を示す図である。
【図２】ビデオテープレコーダの構成を示す図である。
【図３】編集装置の構成を示す図である。
【図４】コンテンツ送出装置の構成を示す図である。
【図５】ソフトウェアでコンテンツ送出を行う場合の構成を示す図である。
【図６】コンテンツ送出処理動作を示すフローチャートである。
【図７】コンテンツ再生装置の構成を示す図である。
【図８】ソフトウェアでコンテンツ再生を行う場合の構成を示す図である。
【図９】コンテンツ再生処理動作を示すフローチャートである。
【図１０】コンテンツ提示装置の表示画像を示す図である。
【図１１】画像に対しての再生処理条件の設定動作を示すフローチャートである。
【図１２】画像再生動作（その１）を示す図である。
【図１３】画像再生動作（その２）を示す図である。
【図１４】画像再生動作（その３）を示す図である。
【図１５】画像再生動作（その４）を示す図である。
【図１６】音声に対しての再生処理条件の設定動作を示すフローチャートである。
【図１７】音声再生動作（その１）を示す図である。
【図１８】音声再生動作（その２）を示す図である。
【符号の説明】
【０１４２】
２０・・・信号再生装置、３０・・・編集装置、３１・・・素材取込部、３２・・・編集処理部、３３・・・編集制御部、３４，７３，２１６・・・ユーザインタフェース部、３５・・・編集出力信号生成部、４０・・・編集画像表示装置、４１・・・編集音声出力装置、５０・・・コンテンツ送出装置、５１・・・書込処理部、５２・・・送出データ生成部、５３・・・伝送処理部、６０・・・伝送路、７０・・・コンテンツ再生装置、７１・・・入力部、７２・・・再生制御部、７４・・・再生処理部、８０・・・コンテンツ提示装置、２０１・・・エンコーダ、２０２，２０３，２０６・・・切換スイッチ、２０３a，２０３b・・・記録増幅部、２０４a，２０４b・・・磁気ヘッド、２０５a，２０５b・・・再生増幅部、２０７・・・デコーダ、２１１a，２１１b・・・バイモルフ、２１２・・・バイモルフ制御部、２１５・・・記録再生制御部、２１７・・・表示部、３１１・・・再生指示回路、３１２・・・データベース化処理回路、３２１・・・データ記憶装置、３２２・・・書込読出処理回路、３２３・・・信号編集回路、３５１・・・映像出力信号生成回路、３５２・・・音声出力信号生成回路、５２１・・・コンテンツ蓄積回路、５２２・・・読出処理回路、５２３・・・情報修正回路、５２４・・・エンコーダ、５５４，７５４・・・データ蓄積部、５６１・・・信号入力部、７１１・・・通信回路、７１２・・・情報記憶回路、７１３・・・データ保持回路、８０１・・・ビュワー部、８０２・・・速度可変コンソール部、８０３・・・再生速度表示部、８０４・・・動作コントロール部、８０５・・・タイトル表示部、８０６・・・時間表示部、８０７・・・再生位置表示部
【図１】
2004180288.tif 000003
【図２】
2004180288.tif 000004
【図３】
2004180288.tif 000005
【図４】
2004180288.tif 000006
【図５】
2004180288.tif 000007
【図６】
2004180288.tif 000008
【図７】
2004180288.tif 000009
【図８】
2004180288.tif 000010
【図９】
2004180288.tif 000011
【図１０】
2004180288.tif 000012
【図１１】
2004180288.tif 000013
【図１２】
2004180288.tif 000014
【図１３】
2004180288.tif 000015
【図１４】
2004180288.tif 000016
【図１５】
2004180288.tif 000017
【図１６】
2004180288.tif 000018
【図１７】
2004180288.tif 000019
【図１８】
2004180288.tif 000020